(57)【要約】【課題】次に排紙される上側凸にカールした用紙の押出力に対する排紙方向下流側への移動抑制力を、既に排紙されている用紙に局部的に作用させる移動規制部が用紙積載部に設けられた画像形成装置であって、前記次に排紙される用紙の先端が、前記排紙済み用紙のカールをへこませる方向に作用しても、前記排紙済み用紙に大きな移動抑制力を作用させることができる画像形成装置を提供する。【解決手段】次に排紙される上側凸にカールした用紙１１の先端によって付与されるへこみ方向の力により、既に用紙積載部３に排紙された用紙１０の排紙方向の上流側の端部が上方に跳ね上げられた状態で、該はね上げられた用紙の端部上面に、前記排紙方向下流側への押出力に対する移動抑制力を局部的に作用させる第２の移動規制部４０〜４３が、第１の移動規制部３０、３１の排紙方向上流側に設けられている。【選択図】図５
2011016621.tif 000002
【特許請求の範囲】
【請求項１】
上側凸にカールした複数の印刷済みの用紙を排紙部から用紙積載部に積載状態に排紙する画像形成装置であって、
前記用紙積載部は、排紙方向の下流側が上位で上流側が低位となる傾斜面に形成されるとともに、
次に排紙される用紙によって既に用紙積載部に排紙されている用紙に付与される排紙方向下流側への押出力に対する移動抑制力を、前記既に排紙されている用紙の下面に局部的に作用させる第１の移動規制部が設けられ、
さらに、次に排紙される上側凸にカールした用紙の先端によって付与されるへこみ方向の力により、既に用紙積載部に排紙された用紙の排紙方向の上流側の端部が上方に跳ね上げられた状態で、該はね上げられた用紙の端部上面に、前記排紙方向下流側への押出力に対する移動抑制力を局部的に作用させる第２の移動規制部が、前記第１の移動規制部の排紙方向上流側に設けられていることを特徴とする画像形成装置。
【請求項２】
前記第１の移動規制部が、排紙方向の上流側において前記用紙積載部に設けられた、排紙された用紙の排紙方向の後端部が嵌まり込む凹部であり、
前記第２の移動規制部が、前記凹部の一部を閉塞する態様で設けられた閉塞部材である請求項１に記載の画像形成装置。
【請求項３】
前記第２の移動規制部を構成する閉塞部材が、前記用紙に移動抑制力を作用させ得る位置と移動抑制力の作用を回避しうる位置とで、変位可能に構成されている請求項２に記載の画像形成装置。
【請求項４】
前記閉塞部材は、弾性体によって、前記用紙に移動抑制力を作用させ得る位置への付勢力が付与されている請求項３に記載の画像形成装置。
【請求項５】
前記第２の移動規制部を構成する閉塞部材が弾性部材によって形成されている請求項２に記載の画像形成装置。
【発明の詳細な説明】
【技術分野】
【０００１】
この発明は、複写機やレーザプリンタ等の画像形成装置に関する。
【背景技術】
【０００２】
上記のような画像形成装置として、複数の印刷済みの用紙を印刷面を下側にして排紙部から用紙積載部に排紙して堆積する構成のものが存在するが、排紙の直前に定着ローラで用紙を高温圧接するため、用紙表裏の温度差、水分含有量の差等により、用紙は上側に凸となるようなカールを生じた状態で排紙されることがある。このようなカールは特に用紙が厚紙である場合に生じ易い。
【０００３】
このため、上側凸にカールした印刷済みの用紙が用紙積載部に積載された状態で、次の印刷済み用紙が排紙部から排紙されてくるときに、前記次の排紙用紙の先端が前記上側凸にカールした排紙済みの用紙に接触し、該用紙を排紙方向下流側（排紙方向前方）に押し出してしまい、用紙が用紙積載部から逸脱することがあるという問題がある。
【０００４】
このような問題を解決するために、用紙排紙前にカールを補正する技術（例えば特許文献１参照）、用紙排紙後にカールを抑える技術（例えば特許文献２参照）、用紙に曲げをつけることで用紙積載部の積載性を保持する技術（例えば特許文献３参照）等が提案されている。
【０００５】
しかし、上記特許文献１のような用紙に生じたカールを補正する技術では、用紙の種類により補正効果のばらつきが大きいため信頼性に欠けるという問題がある。また、特許文献２のようなカールを抑える技術では、紙の厚みによっては別部材が必要となるという問題がある。また、特許文献３のような用紙に曲げをつける技術は、厚紙においてはほとんど効果が期待できないという問題がある。
【０００６】
そこで、次に排紙される用紙によって既に用紙積載部に排紙された用紙に付与される排紙方向下流側への押出力に対して排紙済み用紙が移動しないように、用紙積載部における排紙方向の上流側に凹部や凸部等からなる移動規制部を設け、排紙済みの最下層の用紙の排紙方向上流側の端部下面を前記凹部や凸部のエッジに引っ掛かるようにして、前記押出力に対する移動抑制力を排紙済み用紙に局部的に作用させる画像形成装置が提案されている。
【０００７】
この画像形成装置によれば、用紙積載部に移動規制部が設けられているから、用紙に生じたカールを補正したり抑えたり曲げを形成しなくても、簡易な構成で、次の用紙が排紙されてくるときの押出力により、上側凸にカールした排紙済み用紙が排紙方向下流側へ移動するのを抑制することができる
【先行技術文献】
【特許文献】
【０００８】
【特許文献１】特開２００３−１３７４６６号公報
【特許文献２】特開２０００−７２３１６号公報
【特許文献３】特開平１１−１９３１６３号公報
【発明の概要】
【発明が解決しようとする課題】
【０００９】
しかしながら、用紙の下面に移動抑制力を局部的に作用させる移動規制部を、用紙積載部に設けた画像形成装置では、特に用紙に生じたカールが大きい場合、次に排紙される用紙もカールして排紙部から出てくるため、その用紙の先端が既に排紙され用紙積載部に積載された用紙のカールをへこませる方向に作用することがある。このカールをへこませる方向の力により、排紙済み用紙の排紙方向上流側の端部が前記移動規制部の凹部や凸部のエッジを支点として上方に跳ね上がってしまうと、前記規制部によって排紙済みの用紙に作用する移動抑制力が低下してしまうという問題があった。
【００１０】
この発明は、このような技術的背景に鑑みてなされたものであって、次に排紙される上側凸にカールした用紙の押出力に対する排紙方向下流側への移動抑制力を、既に排紙されている用紙に局部的に作用させる移動規制部が用紙積載部に設けられた画像形成装置であって、前記次に排紙される用紙の先端が、前記排紙済み用紙のカールをへこませる方向に作用しても、前記排紙済み用紙に大きな移動抑制力を作用させることができる画像形成装置の提供を目的とする。
【課題を解決するための手段】
【００１１】
上記課題は以下の手段によって解決される。
（１）上側凸にカールした複数の印刷済みの用紙を排紙部から用紙積載部に積載状態に排紙する画像形成装置であって、前記用紙積載部は、排紙方向の下流側が上位で上流側が低位となる傾斜面に形成されるとともに、次に排紙される用紙によって既に用紙積載部に排紙されている用紙に付与される排紙方向下流側への押出力に対する移動抑制力を、前記既に排紙されている用紙の下面に局部的に作用させる第１の移動規制部が設けられ、さらに、次に排紙される上側凸にカールした用紙の先端によって付与されるへこみ方向の力により、既に用紙積載部に排紙された用紙の排紙方向の上流側の端部が上方に跳ね上げられた状態で、該はね上げられた用紙の端部上面に、前記排紙方向下流側への押出力に対する移動抑制力を局部的に作用させる第２の移動規制部が、前記第１の移動規制部の排紙方向上流側に設けられていることを特徴とする画像形成装置。
（２）前記第１の移動規制部が、排紙方向の上流側において前記用紙積載部に設けられた、排紙された用紙の排紙方向の後端部が嵌まり込む凹部であり、前記第２の移動規制部が、前記凹部の一部を閉塞する態様で設けられた閉塞部材である前項１に記載の画像形成装置。
（３）前記第２の移動規制部を構成する閉塞部材が、前記用紙に移動抑制力を作用させ得る位置と移動抑制力の作用を回避しうる位置とで、変位可能に構成されている前項２に記載の画像形成装置。
（４）前記閉塞部材は、弾性体によって、前記用紙に移動抑制力を作用させ得る位置への付勢力が付与されている前項３に記載の画像形成装置。
（５）前記第２の移動規制部を構成する閉塞部材が弾性部材によって形成されている前項２に記載の画像形成装置。
【発明の効果】
【００１２】
前項（１）に記載の発明によれば、排紙部から排紙された用紙を積載する用紙積載部は、排紙方向の下流側が上位で上流側が低位となる傾斜面に形成されているから、既に排紙された用紙が排紙方向下流側へ移動しにくいのに加えて、用紙積載部に第１の移動規制部が設けられているから、上側凸のカールを生じて用紙積載部に排紙されている印刷済みの用紙に、次に排紙される用紙によって排紙方向下流側への押出力が付与されても、排紙済みの最下層の用紙の下面には前記第１の移動規制部によって押出力による移動を抑制する方向の力が局部的に作用する。このため、既に排紙された用紙が排紙方向下流側に移動して積載部から逸脱するのを防止することができる。
【００１３】
さらに、次に排紙される上側凸にカールした用紙の先端によって付与されるへこみ方向の力により、既に用紙積載部に排紙された用紙の排紙方向の上流側の端部が、前記第１の規制部を支点として上方に跳ね上げられても、該はね上げられた用紙の端部上面に、前記排紙方向下流側への押出力に対する移動抑制力を局部的に作用させる第２の移動規制部が、前記第１の移動規制部の排紙方向上流側に設けられているから、用紙端部の跳ね上がりにより前記第１の移動規制部による移動抑制力が低下しても、用紙の用紙積載部からの逸脱を有効に防止することができる。
【００１４】
前項（２）に記載の発明によれば、第１の移動規制部が、排紙方向の上流側において前記用紙積載部に設けられた、排紙された用紙の排紙方向の後端部が嵌まり込む凹部であるから、上側凸にカールして用紙積載部に積載された用紙が次に排紙される用紙の押出力により排紙方向下流側に移動しようとしても、凹部に嵌り込んだ最下層の用紙の下面が凹部のエッジに引っ掛かることにより用紙に排紙方向上流側への引き戻し力が局部的に作用する。一方、既に排紙された用紙に、次に排紙される上側凸にカールした用紙先端によってへこみ方向の力が付与されて、排紙済み用紙の排紙方向上流側の端部が跳ね上げられても、前記凹部の一部を閉塞する態様で設けられた閉塞部材のエッジに、前記はね上げられた用紙の上面が引っ掛かることにより、前記排紙方向下流側への押出力に対する移動抑制力が局部的に作用する。従って、これにより排紙済み用紙の排紙方向下流側への移動を抑制できる。
【００１５】
前項（３）に記載の発明によれば、第２の移動規制部を構成する閉塞部材が、前記用紙に移動抑制力を作用させ得る位置と移動抑制力の作用を回避しうる位置とで、変位可能に構成されているから、印刷終了後に用紙を用紙積載部から取り出すときには、閉塞部材を移動抑制力の作用を回避しうる位置まで変位させることにより、凹部開口部を拡げることができ、用紙の取り出しを容易に行うことができる。
【００１６】
前項（４）に記載の発明によれば、閉塞部材は弾性体によって、用紙に移動抑制力を作用させ得る位置への付勢力が付与されているから、印刷終了後の用紙の取り出し時には、用紙に付加される引き抜き力によって用紙と接触する閉塞部材に負荷がかかっても、該負荷に追従して閉塞部材は自動変位するから、取り出しをスムーズに行うことができるとともに、取り出し後は移動抑制力を作用させ得る位置へと自動復帰する。しかも、ユーザが手動で、移動抑制力を作用させ得る位置と移動抑制力の作用を回避しうる位置とに閉塞部材を変位させる必要がないので便利である。
【００１７】
前項（５）に記載の発明によれば、第２の移動規制部を構成する閉塞部材が弾性部材によって形成されているから、印刷終了後の用紙の取り出し時には、用紙に付加される引き抜き力によって用紙と接触する閉塞部材に負荷がかかっても、該負荷に追従して閉塞部材は自動的に変形するから、取り出しをスムーズに行うことができるとともに、取り出し後は移動抑制力を作用させ得る状態に自動的に復元する。
【図面の簡単な説明】
【００１８】
【図１】この発明の一実施形態に係る画像形成装置の斜視図である。
【図２】同じく用紙が排紙されている状態を示す画像形成装置の斜視図である。
【図３】印刷済み用紙が用紙載置部に載置されている状態で、次の印刷済み用紙が排紙されている状態を模式的に示す図である。
【図４】用紙載置部に載置された用紙に作用する力関係を説明するための図である。
【図５】この発明の他の実施形態を示す図である。
【図６】この発明のさらに他の実施形態を示す図である。
【図７】この発明のさらに他の実施形態を示す図である。
【発明を実施するための形態】
【００１９】
以下、この発明の一実施形態を図面を参照しつつ説明する。
【００２０】
図１は、この発明の一実施形態に係る画像形成装置としてのレーザプリンタ（単にプリンタと記す）１の外観を示す斜視図である。
【００２１】
プリンタ１は、図示しないパーソナルコンピュータ等からなる端末装置からの指示により、カセット４に収容された用紙に、指定された画像データを電子写真方式等の公知の方法により印刷して、機外へと排出するものであり、印刷済みの用紙を排紙ローラ５（図３〜図７に示す）により機外へ排紙する排紙部２と、排紙された用紙が積載状態に収容される用紙積載部３を備えている。
【００２２】
また、前記排紙部２の上流側には図示しない定着ローラが備えられており、定着ローラにより用紙は高温圧接されるため、用紙表裏の温度差、水分含有量の差等により、図２及び図３に示すように、用紙１０は上側に凸となるようなカールを生じた状態で排紙され、そのままカールした状態で用紙積載部３に積載される。なお、図３〜図７は、説明の簡素化のため、プリンタ１の排紙ローラ５と用紙積載部３のみを模式的に示したものである。
【００２３】
前記用紙積載部３は、プリンタ１の上面に設けられ、排紙部２から排紙される用紙の排紙方向の下流側（排紙方向の前方側）が上位で上流側（排紙方向の後方側）が低位となる傾斜面に形成されている。
【００２４】
さらに、前記用紙積載部３には、その排紙方向の上流側の端部において、排紙方向と直交する方向の全長に渡って、排紙された最下層の用紙１０の排紙方向の後端部下面に当接する凸部３０が形成されており、この凸部３０が第１の移動規制部として機能する。
【００２５】
即ち、図３に示すように、上側凸のカールを生じて印刷済み用紙１０が排紙部２から用紙積載部３に排紙されると、用紙積載部３は排紙方向の下流側が上位で上流側が低位となる傾斜面に形成されていることから、前記用紙１０は用紙積載部３の低位側へ戻され、用紙１０の排紙方向上流側の後端部は、前記凸部３０を超えて凸部３０よりも排紙方向上流側に位置する積載状態となる。そして、上側凸にカールして用紙積載部３に積載された用紙１０が、次に排紙される用紙１１の押出力により排紙方向下流側に移動しようとしても、用紙積載部３上の最下層の用紙１０の排紙方向上流側の端部下面が前記凸部３０に引っ掛かることにより、用紙１０に排紙方向上流側への引き戻し力が局部的に作用するから、排紙済み用紙１０の排紙方向下流側への移動を抑制できる。
【００２６】
さらに、前記凸部３０の排紙方向上流側には、排紙部２の下部の垂直状端面から斜め下向きに突出するピン状突起４０、４０が、排紙方向と直交する方向の両端部にそれぞれ１個設けられている。これらのピン状突起４０は、既に排紙されて用紙積載部３に積載された用紙１０の排紙方向上流側の端部上面に、排紙方向下流側への押出力に対する移動抑制力を局部的に作用させる第２の移動規制部として機能する。
【００２７】
即ち、用紙積載部３に排紙された上側凸にカールした用紙１０は、次に排紙される上側凸にカールした用紙１１の先端から、排紙方向下流側への押出力だけでなく、用紙１０のカールをへこませる方向の力も付与され、最下層の用紙１０は用紙積載部３の傾斜面に接触する。この力により、用紙１０の後端部が前記凸部３０のエッジを支点として上方に跳ね上げられるが、跳ね上がった最上層の用紙の上面に、前記ピン状突起４０、４０の先端が接触し、排紙中の用紙１０によって付与される排紙方向下流側への押出力に対する移動抑制力を、前記ピン状突起４０、４０によって付与する。
【００２８】
なお、用紙堆積部３に堆積された用紙１０の跳ね上がりにより、前記凸部３０による移動抑制力は低下するが、その分前記ピン状突起４０による移動抑制力が付与され、全体として用紙１０に加わる移動抑制力を大きく確保することができる。
【００２９】
このときに用紙１０に作用する各力の関係を図４を参照して説明する。
【００３０】
上側凸にカールした用紙積載部３上の用紙１０の先端に重力によって生じる力をＦｇ１とすると、Ｆｇ１は用紙積載部３の傾斜面に垂直な力Ｆｈ１と傾斜面に平行な力Ｆｌ１に分解される。同じく用紙積載部３上の用紙後端（凸部３０との接点）に重力によって生じる力Ｆｇ２も、用紙積載部３の傾斜面に垂直な力Ｆｈ２と斜面に平行な力Ｆｌ２に分解される。
【００３１】
次に用紙積載部３上の用紙１０が、次に排紙される用紙１１の先端によって押される力をＦｐ３とすると、それも用紙積載部３の傾斜面に垂直な力Ｆｈ３と、傾斜面に平行な力Ｆｌ３に分解される。
【００３２】
ここで、用紙積載部３の傾斜面に平行な力の成分のみに注目し、ピン状突起４０、４０による用紙の引き戻し力をＦａ、用紙１０と傾斜面の摩擦係数をμとすると、
用紙１０に加わる排紙方向下流側（用紙が傾斜面をあがる方向）への力ＦＵは、ＦＵ＝Ｆｌ３、用紙１０に加わる排紙方向上流側（用紙が傾斜面を降りる方向）への力ＦＤは、
ＦＤ＝ＦＬ１＋ＦＬ２＋μ（Ｆｈ１＋Ｆｈ２＋Ｆｈ３）＋Ｆａ
となる。
【００３３】
よって、ピン状突起４０、４０を設けることで、既に排紙された用紙１０に、排紙方向下流側への移動抑制力をＦａの分だけ増加することができる。好ましくは、ＦＤ＞ＦＵとなるように、ピン状突起４０、４０による用紙１０の引き戻し力Ｆａを設定するのが良い。
【００３４】
なお、用紙積載部３に複数枚の用紙１０が積載されている状態で、次の用紙１１が排紙されてきたときも、既に排紙済みの用紙１０は押出力及びカールへこみ方向の力を受けるが、最上層の用紙１０に付与されたピン状突起４０、４０による用紙の引き戻し力Ｆａにより、最上層の用紙の下に積層された用紙にも引き戻し力が作用することになり、やはり排紙方向下流側への移動を抑制することができる。
【００３５】
なお、前記凸部３０は用紙積載部３における排紙方向と直交する方向の全長に渡って形成した場合を示したが、排紙方向と直交する方向に間欠的に複数個形成されていても良いし、少なくとも１個形成されていればよい。また、排紙方向においても１個だけでなく２個以上形成されても良い。凸部３０の形状も限定されることはない。
【００３６】
また、ピン状突起４０、４０を、用紙積載部３における排紙方向と直交する方向の両端部にそれぞれ１個合計２個設けた場合を示したが、３個以上設けても良いし、排紙方向と直交する方向に連続した１個の突起を設けても良い。
【００３７】
図５はこの発明の他の実施形態を示すものである。この実施形態では、前記用紙積載部３に、その排紙方向の上流側の端部において、排紙方向と直交する方向のほぼ全長に渡って、第１の移動規制部として機能する陥没状の凹部３１が形成されており、図５に示すように、上側凸のカールを生じて排紙部２から排紙され用紙積載部３に積載された印刷済みの用紙１０の排紙方向の後端部が、積載部３への収容状態において前記凹部３１に嵌り込むものとなされている。
【００３８】
このように、上側凸のカールを生じた印刷済みの用紙１０の排紙方向の後端部が、前記凹部３１に嵌り込むことで、用紙積載部３に積載された用紙１０が次に排紙される用紙１１によって排紙方向の下流側へと押されたとしても、用紙積載部３の下流側の端部から脱落等するのが防止される。
【００３９】
即ち、図５に示すように、上側凸にカールして用紙積載部３に積載された用紙１０は、次に排紙される上側凸にカールした用紙１１の先端部によって、排紙方向の下流側への押出力を受ける。しかし、用紙積載部３は、排紙方向の下流側が上位で上流側が低位となる傾斜面に形成されているから、既に排紙された用紙１０が排紙方向下流側へ移動しにくいのに加えて、用紙積載部３に積載された用紙１０の排紙方向の後端部は前記凹部３１に嵌まり込んでいるから、凹部３１に嵌り込んだ最下層の用紙の下面が凹部３１のエッジ３１ａに引っ掛かることにより用紙１０に排紙方向上流側への引き戻し力が局部的に作用する。このため、排紙済み用紙１０の排紙方向下流側への移動を抑制できる。
【００４０】
さらに、前記凹部３１の排紙方向上流側には、凹部３１の開口部の一部を閉塞する態様で排紙方向上流側に向かって水平状に突出する閉塞部材４１が、凹部３１の長さ方向の（排紙方向と直交する方向）の全長に渡って、凹部３１の後端縁部に取り付けられている。この閉塞部材４１は、前記ピン状突起４０と同様に、既に排紙されて用紙積載部３に積載された用紙１０の端部上面に、排紙方向下流側への押出力に対する移動抑制力を局部的に作用させる第２の移動規制部として機能する。
【００４１】
即ち、用紙積載部３に排紙された上側凸の用紙１０は、次に排紙される上側凸にカールした用紙１１の先端から、排紙方向下流側への押出力だけでなく、カールをへこませる方向の力も付与される。この力により、用紙１０の後端部が前記凹部３１のエッジ３１ａを支点として上方に跳ね上げられるが、跳ね上がった最上層の用紙１０の上面に、前記閉塞部材４１の先端エッジが接触し、排紙中の用紙１０によって付与される排紙方向下流側への押出力に対する移動抑制力を付与する。
【００４２】
なお、この閉塞部材４１を凹部３１の長さ方向の全長に渡って設けたが、短尺の閉塞部材を１個又は間欠的に複数個設けても良い。
【００４３】
図６は、この発明のさらに他の実施形態を示すものである。この実施形態では、図５の場合と同様に凹部３１の開口部後端を閉塞する板状の閉塞部材４２が設けられているが、この閉塞部材４２は矢印Ａで示す水平方向に移動可能に構成されている。そして、凹部３１の方向（紙面左方向）に最も移動した状態で、図５の閉塞部材４１と同様に用紙１０に移動抑制力を作用させることのできる図６に破線で示す位置に変位し、凹部３１から離間する方向（紙面右方向）に最も移動した状態で、図６に実線で示す位置となり、用紙１０への移動抑制力の作用を回避することができる凹部３１の開口部外へと変位する。
【００４４】
印刷時には、ユーザは閉塞部材４２を手動にて凹部３１の方向に最大変位させ、印刷中は、排紙部２から排紙され用紙堆積部３に堆積された印刷済みの用紙１０に移動抑制力を作用させる。印刷終了後は、閉塞部材４２を手動にて凹部３１から離間する方向に最大変位させ、用紙１０への移動抑制力の作用を回避して取り出し易くし、印刷済み用紙のスムーズな回収を可能とする。
【００４５】
図７はこの発明のさらに他の実施形態を示すものである。この実施形態では、図５の場合と同様に凹部３１の開口部後端を閉塞する板状の閉塞部材４３が設けられているが、この閉塞部材４３は該閉塞部材４３の下方に配置された弾性体としてのバネ５０により、常時下方への付勢力を受けている。従って、常時は図５の閉塞部材４１と同様に用紙１０に移動抑制力を作用させることのできる図７（ａ）に示す位置に変位しており、閉塞部材４３へ上向きの力が作用すると図７（ｂ）に示すように、用紙１０への移動抑制力の作用を回避しうる位置へと変位する。また、上向きの力が解除されると、図７（ａ）に示す状態に復帰する。
【００４６】
つまり、印刷中は、閉塞部材４３は図７（ａ）に示す位置にあって、用紙堆積部３に堆積された用紙１０に、次に排紙される用紙の押出力に対する移動抑制力を作用させ、印刷終了後のユーザによる用紙取り出し時には、用紙１０の移動に追従して閉塞部材４３が上方へ変位し、用紙１０への移動抑制力の作用を回避して取り出しやすくし、用紙のスムーズな回収を可能とする。
【００４７】
なお、バネ５０の取付位置は限定されることはなく、排紙ローラ５の軸端に、圧縮状態のバネの一端を固定し、他端を閉塞部材４３に取り付けることにより、閉塞部材４３を付勢しても良い。
【００４８】
また、図示は省略したが、図６の実施形態において、閉塞部材４２を弾性体により凹部３１側へ常時付勢しておいても良い。
【００４９】
また、同じく図示は省略したが、閉塞部材４３そのものをゴム等の弾性部材で構成して図５のように所定部位に固定しておいてもよい。このような構成とすることにより、印刷終了後の用紙の取り出し時には、用紙に付加される引き抜き力によって用紙と接触する閉塞部材に負荷がかかっても、負荷に追従して自動的に変形するから、取り出しをスムーズに行うことができるとともに、取り出し後は移動抑制力を作用させ得る状態に自動的に復元する。
【００５０】
さらに、閉塞部材を固定しておいて、印刷中は凹部３１の幅（排紙方向の長さ）が狭くなるように、かつ印刷後の用紙取り出し時には凹部３１の幅が広くなるように、用紙堆積部３の一部を排紙方向に沿って移動可能に構成しても良い。
【符号の説明】
【００５１】
１      画像形成装置
２      排紙部
３      用紙載置部
５      排紙ローラ
１０    用紙
１１    次の用紙
３０    凸部（第１の移動規制部）
３１    凹部（第１の移動規制部）
４０    ピン状突起（第２の移動規制部）
４１、４２、４３    閉塞部材
５０    バネ（弾性部材）
【図１】
2011016621.tif 000003
【図２】
2011016621.tif 000004
【図３】
2011016621.tif 000005
【図４】
2011016621.tif 000006
【図５】
2011016621.tif 000007
【図６】
2011016621.tif 000008
【図７】
2011016621.tif 000009